(57)【要約】【課題】汎用性が高い変速制御方法を提供する。【解決手段】エンジン回転数が変速制御マップのシフトアップ線を上回ったか否かを判定するステップＳ１１と、路面の現在勾配を算出するステップＳ１２と、エンジン回転数がシフトアップ線を上回り且つ現在勾配が上りであるときに、現段よりもｎ段上の変速段で車両が一定速度を保てる登坂可能勾配を車両情報から求めて、登坂可能勾配が現在勾配を上回る最大のｎを決定するステップＳ１３、あるいはエンジン回転数がシフトアップ線を上回り且つ現在勾配が平坦または下りであってアクセル開度が所定値以上であるときに、現段よりもｎ段上の変速段で車両が一定速度を保てる抑速可能勾配を車両情報から求めて、抑速可能勾配が現在勾配を下回る最大のｎを決定するステップＳ１５と、現段よりもｎ段上の目標変速段へシフトを開始するステップＳ１７とを順に行なう。【選択図】図１
2006214457.tif 000002
【特許請求の範囲】
【請求項１】
エンジン回転数とアクセル開度とによる二次元変速制御マップに基づき目標変速段へのシフトを行なう変速制御方法において、エンジン回転数が変速制御マップのシフトアップ線を上回ったか否かを判定するステップと、車両が走行している路面の現在勾配を算出するステップと、エンジン回転数がシフトアップ線を上回り且つ現在勾配が上りであるときに、現段よりもｎ段上の変速段で車両が一定速度を保てる登坂可能勾配を、エンジン出力トルク、トランスミッション現段減速比、ディファレンシャルギヤ減速比、タイヤ動半径、出力トルク点エンジン回転数、並びに車両重量から求めて、登坂可能勾配が前記現在勾配を上回る最大のｎを決定するステップと、現段よりもｎ段上の目標変速段へシフトを開始するステップとを順に行なうことを特徴とする変速制御方法。
【請求項２】
エンジン回転数とアクセル開度とによる二次元変速制御マップに基づき目標変速段へのシフトを行なう変速制御方法において、エンジン回転数が変速制御マップのシフトアップ線を上回ったか否かを判定するステップと、車両が走行している路面の現在勾配を算出するステップと、アクセル開度が所定値以上であるか否かを判定するステップと、エンジン回転数がシフトアップ線を上回り且つ現在勾配が平坦または下りであってアクセル開度が所定値以上であるときに、現段よりもｎ段上の変速段で車両が一定速度を保てる抑速可能勾配を、エンジン出力トルク、トランスミッション現段減速比、ディファレンシャルギヤ減速比、タイヤ動半径、出力トルク点エンジン回転数、並びに車両重量から求めて、抑速可能勾配が前記現在勾配を下回る最大のｎを決定するステップと、現段よりもｎ段上の目標変速段へシフトを開始するステップとを順に行なうことを特徴とする変速制御方法。
【請求項３】
エンジン回転数とアクセル開度とによる二次元変速制御マップに基づき目標変速段へのシフトを行なう変速制御方法において、エンジン回転数が変速制御マップのシフトダウン線を下回ったか否かを判定するステップと、車両が走行している路面の現在勾配を算出するステップと、エンジン回転数がシフトダウン線を下回り且つ現在勾配が上りであるときに、現段よりもｎ段下の変速段で車両が一定速度を保てる登坂可能勾配を、エンジン出力トルク、トランスミッション現段減速比、ディファレンシャルギヤ減速比、タイヤ動半径、出力トルク点エンジン回転数、並びに車両重量から求めて、登坂可能勾配が前記現在勾配を上回る最小のｎを決定するステップと、現段よりもｎ段下の目標変速段へシフトを開始するステップとを順に行なうことを特徴とする変速制御方法。
【請求項４】
エンジン回転数とアクセル開度とによる二次元変速制御マップに基づき目標変速段へのシフトを行なう変速制御方法において、エンジン回転数が変速制御マップのシフトダウン線を下回ったか否かを判定するステップと、車両が走行している路面の現在勾配を算出するステップと、エンジン回転数がシフトダウン線を下回り且つ現在勾配が平坦または下りであるときに、現段よりもｎ段下の変速段で車両が一定速度を保てる抑速可能勾配を、エンジン出力トルク、トランスミッション現段減速比、ディファレンシャルギヤ減速比、タイヤ動半径、出力トルク点エンジン回転数、並びに車両重量から求めて、抑速可能勾配が前記現在勾配を下回る最小のｎを決定するステップと、現段よりもｎ段下の目標変速段へシフトを開始するステップとを順に行なうことを特徴とする変速制御方法。
【請求項５】
エンジン回転数とアクセル開度とによる二次元変速制御マップに基づき目標変速段へのシフトを行なう変速制御方法において、エンジン回転数が変速制御マップのシフトアップ線とシフトダウン線の間にあるか否かを判定するステップと、車両が走行している路面の現在勾配と現段で車両が一定速度を保てる登坂可能勾配を算出して対比するステップと、エンジン回転数がシフトアップ線とシフトダウン線の間にあり且つ現段での登坂可能勾配が現在勾配を下回ったときに、現段よりもｎ段下の変速段で車両が一定速度を保てる登坂可能勾配を、エンジン出力トルク、トランスミッション現段減速比、ディファレンシャルギヤ減速比、タイヤ動半径、出力トルク点エンジン回転数、並びに車両重量から求めて、登坂可能勾配が前記現在勾配を上回る最小のｎを決定するステップと、現段よりもｎ段下の目標変速段へシフトを開始するステップとを順に行なうことを特徴とする変速制御方法。
【請求項６】
エンジン回転数とアクセル開度とによる二次元変速制御マップに基づき目標変速段へのシフトを行なう変速制御方法において、エンジン回転数が変速制御マップのシフトアップ線とシフトダウン線の間にあるか否かを判定するステップと、車両が走行している路面の現在勾配と現段で車両が一定速度を保てる登坂可能勾配を算出して対比するステップと、アクセル開度が所定値未満であるか否かを判定するステップと、エンジン回転数がシフトアップ線とシフトダウン線の間にあり且つ現段での登坂可能勾配が現在勾配を下回ってアクセル開度が所定値未満であるときに、現段よりもｎ段下の変速段で車両が一定速度を保てる抑速可能勾配を、エンジン出力トルク、トランスミッション現段減速比、ディファレンシャルギヤ減速比、タイヤ動半径、出力トルク点エンジン回転数、並びに車両重量から求めて、抑速可能勾配が前記現在勾配を下回る最小のｎを決定するステップと、現段よりもｎ段下の目標変速段へシフトを開始するステップとを順に行なうことを特徴とする変速制御方法。
【発明の詳細な説明】
【技術分野】
【０００１】
本発明は変速制御方法に関するものである。
【背景技術】
【０００２】
近年、運転者自身がクラッチ操作やシフト操作を行なうマニュアルトランスミッションに代えて、クラッチの断続用アクチュエータ並びにギヤ位置のシフト用アクチュエータを備えた機械式オートマチックトランスミッションを動力伝達機構に採用し、運転者の労力を軽減するようにした車両が増えている。
【０００３】
この機械式を含めたオートマチックトランスミッションでは、車速、エンジン回転数、車両負荷などの車両状況とアクセル開度やギヤ位置などの運転状況を、車載の制御ユニット（ＥＣＵ：Electronic Control Unit）が判断し、エンジン回転数または車速とアクセル開度による二次元変速制御マップに基づき、クラッチの断続と目標変速段へのシフト、及びエンジン回転数の制御を行なっている。
【０００４】
二次元変速制御マップには、図３に示すようなシフトアップ線Ｕとシフトダウン線Ｄが各変速段ごとに設定してあり、所定の変速段においてエンジン回転数がシフトアップ線Ｕを上回ったときに上位の目標変速段へのシフトアップが開始され、所定の変速段においてエンジン回転数がシフトダウン線Ｄを下回ったときに下位の目標変速段へのシフトダウンが開始される。
【０００５】
また近年、車両重量と現に車両が走行している路面の勾配（現在勾配）を車両の加速度の変化を算出し、車両重量及び現在勾配をパラメータとして負荷状態が大きいほどシフトダウンのタイミングを遅らせるようにした変速制御装置が提案されている（例えば、特許文献１参照）。
【特許文献１】特開２００２−０１３６２５号公報
【発明の開示】
【発明が解決しようとする課題】
【０００６】
特許文献１の変速制御装置では、変速タイミングを遅らせる判定基準として、アクセル開度に対する目標エンジン回転数の指示線を負荷状態の高低に応じて複数設定した二次元補正制御マップを使っているが、この補正制御マップは車両の諸元（ディファレンシャルギヤ比やタイヤサイズなど）の影響を受けるため、車種ごとに補正制御マップの設定内容を置き換える必要があった。
【０００７】
本発明は上述の実情に鑑みてなしたもので、汎用性が高い変速制御方法を提供することを目的としている。
【課題を解決するための手段】
【０００８】
上記目的を達成するため本発明は、シフトアップに対応した様式として、エンジン回転数が変速制御マップのシフトアップ線を上回ったか否かを判定するステップと、車両が走行している路面の現在勾配を算出するステップと、エンジン回転数がシフトアップ線を上回り且つ現在勾配が上りであるときに、現段よりもｎ段上の変速段で車両が一定速度を保てる登坂可能勾配を、エンジン出力トルク、トランスミッション現段減速比、ディファレンシャルギヤ減速比、タイヤ動半径、出力トルク点エンジン回転数、並びに車両重量から求めて、登坂可能勾配が前記現在勾配を上回る最大のｎを決定するステップと、現段よりもｎ段上の目標変速段へシフトを開始するステップとを順に行なう。
【０００９】
シフトアップに対応した様式として、エンジン回転数が変速制御マップのシフトアップ線を上回ったか否かを判定するステップと、車両が走行している路面の現在勾配を算出するステップと、アクセル開度が所定値以上であるか否かを判定するステップと、エンジン回転数がシフトアップ線を上回り且つ現在勾配が平坦または下りであってアクセル開度が所定値以上であるときに、現段よりもｎ段上の変速段で車両が一定速度を保てる抑速可能勾配を、エンジン出力トルク、トランスミッション現段減速比、ディファレンシャルギヤ減速比、タイヤ動半径、出力トルク点エンジン回転数、並びに車両重量から求めて、抑速可能勾配が前記現在勾配を下回る最大のｎを決定するステップと、現段よりもｎ段上の目標変速段へシフトを開始するステップとを順に行なう。
【００１０】
また、シフトダウンに対応した様式として、エンジン回転数が変速制御マップのシフトダウン線を下回ったか否かを判定するステップと、車両が走行している路面の現在勾配を算出するステップと、エンジン回転数がシフトダウン線を下回り且つ現在勾配が上りであるときに、現段よりもｎ段下の変速段で車両が一定速度を保てる登坂可能勾配を、エンジン出力トルク、トランスミッション現段減速比、ディファレンシャルギヤ減速比、タイヤ動半径、出力トルク点エンジン回転数、並びに車両重量から求めて、登坂可能勾配が前記現在勾配を上回る最小のｎを決定するステップと、現段よりもｎ段下の目標変速段へシフトを開始するステップとを順に行なう。
【００１１】
シフトダウンに対応した様式として、エンジン回転数が変速制御マップのシフトダウン線を下回ったか否かを判定するステップと、車両が走行している路面の現在勾配を算出するステップと、エンジン回転数がシフトダウン線を下回り且つ現在勾配が平坦または下りであるときに、現段よりもｎ段下の変速段で車両が一定速度を保てる抑速可能勾配を、エンジン出力トルク、トランスミッション現段減速比、ディファレンシャルギヤ減速比、タイヤ動半径、出力トルク点エンジン回転数、並びに車両重量から求めて、抑速可能勾配が前記現在勾配を下回る最小のｎを決定するステップと、現段よりもｎ段下の目標変速段へシフトを開始するステップとを順に行なう。
【００１２】
シフトダウンに対応した様式として、エンジン回転数が変速制御マップのシフトアップ線とシフトダウン線の間にあるか否かを判定するステップと、車両が走行している路面の現在勾配と現段で車両が一定速度を保てる登坂可能勾配を算出して対比するステップと、エンジン回転数がシフトアップ線とシフトダウン線の間にあり且つ現段での登坂可能勾配が現在勾配を下回ったときに、現段よりもｎ段下の変速段で車両が一定速度を保てる登坂可能勾配を、エンジン出力トルク、トランスミッション現段減速比、ディファレンシャルギヤ減速比、タイヤ動半径、出力トルク点エンジン回転数、並びに車両重量から求めて、登坂可能勾配が前記現在勾配を上回る最小のｎを決定するステップと、現段よりもｎ段下の目標変速段へシフトを開始するステップとを順に行なう。
【００１３】
シフトダウンに対応した様式として、エンジン回転数が変速制御マップのシフトアップ線とシフトダウン線の間にあるか否かを判定するステップと、車両が走行している路面の現在勾配と現段で車両が一定速度を保てる登坂可能勾配を算出して対比するステップと、アクセル開度が所定値未満であるか否かを判定するステップと、エンジン回転数がシフトアップ線とシフトダウン線の間にあり且つ現段での登坂可能勾配が現在勾配を下回ってアクセル開度が所定値未満であるときに、現段よりもｎ段下の変速段で車両が一定速度を保てる抑速可能勾配を、エンジン出力トルク、トランスミッション現段減速比、ディファレンシャルギヤ減速比、タイヤ動半径、出力トルク点エンジン回転数、並びに車両重量から求めて、抑速可能勾配が前記現在勾配を下回る最小のｎを決定するステップと、現段よりもｎ段下の目標変速段へシフトを開始するステップとを順に行なう。
【００１４】
シフトアップに対応した様式においては、エンジン回転数がシフトアップ線を上回り且つ現在勾配が上りであることが認められた場合に、現段よりもｎ段上の変速段で車両が一定速度を保てる登坂可能勾配を求めて、登坂可能勾配が前記現在勾配を上回る最大のｎを決定し、現段よりもｎ段上の目標変速段へシフトを開始する。
【００１５】
シフトアップに対応した様式においては、エンジン回転数がシフトアップ線を上回り且つ現在勾配が平坦または下りであってアクセル開度が所定値以上であることが認められた場合に、現段よりもｎ段上の変速段で車両が一定速度を保てる抑速可能勾配を求めて、抑速可能勾配が前記現在勾配を下回る最大のｎを決定し、現段よりもｎ段上の目標変速段へシフトを開始する。
【００１６】
シフトダウンに対応した様式においては、エンジン回転数がシフトダウン線を下回り且つ現在勾配が上りであることが認められた場合に、現段よりもｎ段下の変速段で車両が一定速度を保てる登坂可能勾配を求めて、登坂可能勾配が前記現在勾配を上回る最小のｎを決定し、現段よりもｎ段下の目標変速段へシフトを開始する。
【００１７】
シフトダウンに対応した様式においては、エンジン回転数がシフトダウン線を下回り且つ現在勾配が平坦または下りであると認められた場合に、現段よりもｎ段下の変速段で車両が一定速度を保てる抑速可能勾配を求めて、抑速可能勾配が前記現在勾配を下回る最小のｎを決定し、現段よりもｎ段下の目標変速段へシフトを開始する。
【００１８】
シフトダウンに対応した様式においては、エンジン回転数がシフトアップ線とシフトダウン線の間にあり且つ現段での登坂可能勾配が現在勾配を下回ったことが認められた場合に、現段よりもｎ段下の変速段で車両が一定速度を保てる登坂可能勾配を求めて、登坂可能勾配が前記現在勾配を上回る最小のｎを決定し、現段よりもｎ段下の目標変速段へシフトを開始する。
【００１９】
シフトダウンに対応した様式においては、エンジン回転数がシフトアップ線とシフトダウン線の間にあり且つ現段での登坂可能勾配が現在勾配を下回ってアクセル開度が所定値未満であることが認められた場合に、現段よりもｎ段下の変速段で車両が一定速度を保てる抑速可能勾配を求めて、抑速可能勾配が前記現在勾配を下回る最小のｎを決定し、現段よりもｎ段下の目標変速段へシフトを開始する。
【発明の効果】
【００２０】
本発明によれば、下記のような種々の優れた効果を奏し得る。
【００２１】
（１）エンジン出力トルク、トランスミッション現段減速比、ディファレンシャルギヤ減速比、タイヤ動半径、出力トルク点エンジン回転数、並びに車両重量などの車両情報に基づき、現段よりもｎ段上の変速段で車両が一定速度を保てる登坂可能勾配や現段よりもｎ段上の変速段で車両が一定速度を保てる抑速可能勾配を求め、現段よりもｎ段上の目標変速段へシフトを開始するので、車種ごとに設定内容の置き換えが必要な補正制御マップを使わずに、多様な車種のシフトアップ制御を行なうことができ、汎用性が高い。
【００２２】
（２）エンジン出力トルク、トランスミッション現段減速比、ディファレンシャルギヤ減速比、タイヤ動半径、出力トルク点エンジン回転数、並びに車両重量などの車両情報に基づき、現段よりもｎ段下の変速段で車両が一定速度を保てる登坂可能勾配や現段よりもｎ段下の変速段で車両が一定速度を保てる抑速可能勾配を求め、現段よりもｎ段下の目標変速段へシフトを開始するので、車種ごとに設定内容の置き換えが必要な補正制御マップを使わずに、多様な車種のシフトダウン制御を行なうことができ、汎用性が高い。
【発明を実施するための最良の形態】
【００２３】
以下、本発明の実施の形態を図面に基づき説明する。
【００２４】
図１及び図２は本発明の変速制御方法の一例を示すもので、ステップＳ１１−Ｓ１９を判断要件として目標変速段へのシフトアップを実行する様式と、ステップＳ２１−Ｓ３０を判断要件として目標変速段へのシフトダウンを実行する様式により構成してある。
【００２５】
ステップＳ１１では、エンジン回転数が現段の二次元変速制御マップのシフトアップ線を上回ったか否かが判定される。
【００２６】
この二次元変速制御マップは、空車状態での平坦路走行時を想定したものである。
【００２７】
ステップＳ１２では、車両が走行している路面の現在勾配ｓｉｎθが下記の式によって算出される。
ｓｉｎθ＝｛Ｆｅ−（Ｗ×α）−Ｒａ−Ｒｒ｝／Ｗ
【００２８】
エンジンによる牽引力Ｆｅ、車両総重量Ｗ、空気抵抗Ｒａ、転がり抵抗Ｒｒは下記の式によって求まる。
Ｆｅ＝Ｔｅ×ｉＴ×ｉＦ×η／ｒＴ
Ｔｅ：エンジン出力トルク、ｉＴ：トランスミッション現段減速比、
ｉＦ：ディファレンシャルギヤ減速比、η：駆動系全体の伝達効率、
ｒＴ：タイヤ動半径
Ｗ＝Ｆｅ／（α1−α0）
α1：変速前の加速度、α0：変速中の減速度
Ｒａ＝λ×Ａ×Ｖｖ2
λ：空気抵抗係数、Ａ：前面投影面積、Ｖｖ：車速
Ｒｒ＝μ×Ｗ
μ：転がり抵抗係数
上述した車両総重量、現在勾配の算出（推定）方法は、既知の手法の一例であり、本発明の特有の手法として限定するものではない。
【００２９】
ステップＳ１３では、エンジン回転数がシフトアップ線を上回り且つ現在勾配ｓｉｎθが上りであるときに、現段よりもｎ段上の変速段で車両が一定速度を保てる登坂可能勾配ｓｉｎθｎの候補が下記の式によって複数算出され、これらの登坂可能勾配ｓｉｎθｎのうちから前記現在勾配ｓｉｎθを上回る最大のｎ（ｎ＜３）が決定される。
ｓｉｎθｎ＝［（Ｔｅ×ｉＴ×η×Ｂ）
−｛（Ｎｅ×0.12×π／ｉＴ／Ｂ）2×λ×Ａ｝］／Ｗ−μ
【００３０】
この式は、車両が一定速度で上り勾配を走行する場合には、牽引力Ｆｅと走行抵抗Ｒが等しく釣り合った状態になり、また、走行抵抗Ｒは下記の式で求まることに基づく。
Ｒ＝（μ×Ｗ×ｃｏｓ）
＋｛（Ｎｅ×60／ｉＴ／ｉＦ×２×π×ｒＴ／1000）2×λ×Ａ｝
＋（Ｗ×ｓｉｎθ）
＝Ｗ×（μ×ｃｏｓθ×ｓｉｎθ）
＋｛（Ｎｅ×60／ｉＴ／ｉＦ×２×π×ｒＴ／1000）2×λ×Ａ｝
【００３１】
ここで、Ｂ＝ｉＦ／ｒＴとおくと、
Ｆｅ＝Ｔｅ×ｉＴ×η×Ｂと表されるので、
Ｒ＝Ｗ×（μ×ｃｏｓθ×ｓｉｎθ）
＋（Ｎｅ×0.12×π／ｉＴ／Ｂ）2×λ×Ａ
【００３２】
更に、道路構造令によれば、道路勾配は特例値でも最大１２％（＝ｔａｎθ）であるので、0.99＜ｃｏｓθ＜１となり、ｃｏｓθ≒１と見なせる。よって、 
Ｒ＝Ｗ×（μ×ｓｉｎθ）＋（Ｎｅ×0.12×π／ｉＴ／Ｂ）2×λ×Ａ
【００３３】
ステップＳ１４では、アクセル開度が所定値以上であって運転者が車両の速度を抑制するを止める意思がないことが判定され、アクセル開度が所定値以上でない場合は先へ進むことなくスタートへ差し戻される。
【００３４】
ステップＳ１５では、エンジン回転数がシフトアップ線を上回り且つ現在勾配が平坦または下りであってアクセル開度が所定値以上であるときに、現段よりもｎ段上の変速段で車両が一定速度を保てる抑速可能勾配ｓｉｎθｎの候補が、先に述べたステップＳ１３と同じ式によって複数算出され、これらの抑速可能勾配ｓｉｎθｎのうちから前記現在勾配ｓｉｎθを下回る最大のｎ（ｎ＜３）が決定される。
【００３５】
ステップＳ１６では、ステップＳ１３またはステップＳ１５で決定されたｎが０でないことが判定され、ｎが０である場合は先に進むことなくスタートへ差し戻される。
【００３６】
ステップＳ１７では、現段よりもｎ段上の変速段にシフトアップした場合にアンダラン（エンジンの実用回転域を下回ること）に起因した増速もしくは失速が生じないか否かが判定される。
【００３７】
ステップＳ１８では、ステップＳ１７でアンダランが予想された際に、ステップＳ１３またはステップＳ１５で決定されたｎに変えて、現段よりもｎ−１上の変速段を選定したうえステップＳ１６へ差し戻す。
【００３８】
ステップＳ１９では、ステップＳ１７でアンダランが予想されないとアクチュエータを作動させて現段よりもｎ段上の目標変速段へのシフトアップを開始する（ステップＳ１８を経た場合は、目標変速段が現段よりもｎ−１段上になる）。
【００３９】
このように、ステップＳ１１−Ｓ１９を判断要件として目標変速段へのシフトアップを実行する様式では、前述したような車両情報に基づき、現段よりもｎ段上の変速段で車両が一定速度を保てる登坂可能勾配ｓｉｎθｎや、現段よりもｎ段上の変速段で車両が一定速度を保てる抑速可能勾配ｓｉｎθｎを求め、現段よりもｎ段上の目標変速段へシフトを開始するので、車種ごとに設定内容の置き換えが必要な補正制御マップを使わずに、多様な車種のシフトアップ制御を行なうことができる。
【００４０】
ステップＳ２１では、エンジン回転数が現段の二次元変速制御マップのシフトアップ線とシフトダウン線の間にあるか、もしくはシフトダウン線を下回ったか否かが判定される。
【００４１】
この二次元変速制御マップは、空車状態での平坦路走行時を想定したものである。
【００４２】
ステップＳ２２では、車両が走行している路面の現在勾配ｓｉｎθが、ステップＳ１２に記した式により算出される。
【００４３】
ステップＳ２３では、ステップＳ１２に記した式により算出した現在勾配ｓｉｎθと、ステップＳ１３に記した式により算出した現段での登坂可能勾配ｓｉｎθｎが対比される。
【００４４】
ステップＳ２４では、エンジン回転数がシフトダウン線を下回り且つ現在勾配ｓｉｎθが上りであるとき、またはエンジン回転数がシフトアップ線とシフトダウン線の間にあり且つ現段での登坂可能勾配ｓｉｎθｎが現在勾配ｓｉｎθを下回ったときに、現段よりもｎ段下の変速段で車両が一定速度を保てる登坂可能勾配ｓｉｎθｎの候補が、先に述べたステップＳ１３と同様に複数算出され、これらの登坂可能勾配ｓｉｎθｎのうちから現在勾配ｓｉｎθを上回る最小のｎ（ｎ＜３）が決定される。
【００４５】
ステップＳ２５では、アクセル開度が所定値未満であって運転者が車速を低める意思があることが判定され、アクセル開度が所定値未満でない場合は先へ進むことなくスタートへ差し戻される。
【００４６】
ステップＳ２６では、エンジン回転数がシフトダウン線を下回り且つ現在勾配ｓｉｎθが平坦または下りであるとき、あるいはエンジン回転数がシフトアップ線とシフトダウン線の間にあり且つ現段での登坂可能勾配ｓｉｎθｎが現在勾配ｓｉｎθを下回り、更に、アクセル開度が所定値未満であるときに、現段よりもｎ段下の変速段で車両が一定速度を保てる抑速可能勾配ｓｉｎθｎの候補がステップＳ１３と同様に複数算出され、これらの抑速可能勾配ｓｉｎθｎのうちから現在勾配ｓｉｎθを下回る最小のｎ（ｎ＜３）が決定される。
【００４７】
ステップＳ２７では、ステップＳ２４またはステップＳ２６で決定されたｎが０でないことが判定され、ｎが０である場合は先に進むことなくスタートへ差し戻される。
【００４８】
ステップＳ２８では、現段よりもｎ段下の変速段にシフトダウンした場合にオーバラン（エンジンの実用回転域を超えること）に起因した増速もしくは失速が生じないか否かが判定される。
【００４９】
ステップＳ２９では、ステップＳ２８でオーバランが予想された際に、ステップＳ２４またはステップＳ２６で決定されたｎに変えて、現段よりもｎ−１上の変速段を選定したうえステップＳ１６へ差し戻す。
【００５０】
ステップＳ３０では、ステップＳ２８でアンダランが予想されないとアクチュエータを作動させて現段よりもｎ段下の目標変速段へのシフトダウンを開始する（ステップＳ２９を経た場合は、目標変速段が現段よりもｎ−１段下になる）。
【００５１】
このように、ステップＳ２１−Ｓ３０を判断要件として目標変速段へのシフトダウンを実行する様式では、前述したような車両情報に基づき、現段よりもｎ段下の変速段で車両が一定速度を保てる登坂可能勾配ｓｉｎθｎや、現段よりもｎ段下の変速段で車両が一定速度を保てる抑速可能勾配ｓｉｎθｎを求め、現段よりもｎ段下の目標変速段へシフトを開始するので、車種ごとに設定内容の置き換えが必要な補正制御マップを使わずに、多様な車種のシフトダウン制御を行なうことができる。
【００５２】
なお、本発明の変速制御方法は、上述した実施の形態のみに限定されるものではなく、本発明の要旨を逸脱しない範囲内において種々変更を加え得ることは勿論である。
【産業上の利用可能性】
【００５３】
本発明の変速制御方法は、様々な車種に適用できる。
【図面の簡単な説明】
【００５４】
【図１】本発明の変速制御方法によるシフトアップの実行様式を示すフローチャートである。
【図２】本発明の変速制御方法によるシフトダウンの実行様式を示すフローチャートである。
【図３】エンジン回転数とアクセル開度による二次元変速制御マップの一例である。
【符号の説明】
【００５５】
Ｓ１１，Ｓ１２，Ｓ１３，Ｓ１４，Ｓ１５，Ｓ１９            ステップ
Ｓ２１，Ｓ２２，Ｓ２３，Ｓ２４，Ｓ２５，Ｓ２６，Ｓ３０    ステップ
【図１】
2006214457.tif 000003
【図２】
2006214457.tif 000004
【図３】
2006214457.tif 000005